(57)【要約】 【課題】ゴルフ競技の際に、ズボンのポケットなどに入れて持ち運ぶ必要のある複数の小物を一体的に持ち運びできるようにする。【解決手段】  ティ本体１に非伸縮性ひも２と弾性ひも３を直列に連結する。ひも取付孔１２を設け連結されるひも２，３に錘４を連結する。この錘４を磁石により形成する。ゴルフ競技中に持ち運ぶ小物のゴルフティに、例えば位置決めマーカー５などの被吸着片を錘に吸着して、一体的に持ち運びを可能とする。特に、錘４の中央に差込孔４ａを形成して、ティ本体１の脚部１０にひも２，３を巻き付けた上で、ティ本体１の先端を錘４の差込孔４ａ内に差し込むことによって、コンパクトに収容でき、競技者のポケット内に容易に収納して持ち運びが可能になる。【選択図】  図１
2005087388.tif 000002
【特許請求の範囲】
【請求項１】
ティ本体に連結されるひもに錘を連結し、該錘を磁石により形成していることを特徴とするゴルフティ用錘。
【請求項２】
ひもを伸縮可能な弾性ひもにより形成していることを特徴とする請求項１記載のゴルフティ用錘。
【請求項３】
錘を円盤状に形成していることを特徴とする請求項１，２記載のゴルフティ用錘。
【請求項４】
錘にティ本体の先端を差し込み可能な差込孔を設けていることを特徴とする請求項１〜３記載のゴルフティ。
【請求項５】
錘に、被吸着片を吸着可能にしていることを特徴とする請求項１〜４記載のゴルフティ。
【請求項６】
ティ本体の中間部において、上部ティ本体と下部ティ本体の二つの部分により構成され、該上部ティ本体の下部には、雄ねじ部の先端にピン部が設けられて短いゴルフティとされ、また、前記下部ティ本体の上部には該雄ねじ部に螺合する雌ねじ部が形成されて、該上部ティ本体に螺合して長いゴルフティとすることができることを特徴とする請求項１〜５記載のゴルフティ。
【発明の詳細な説明】
【技術分野】
【０００１】
この発明は、ゴルフ競技において、ティショットに用いるゴルフティ、特にゴルフティに連結する錘に関する。
【背景技術】
【０００２】
ゴルフ競技において、ティショットする際にティグラウンドに突き刺して、ゴルフボールを載置するゴルフティや、グリーン上で先にパットする競技者の邪魔にならないように、自分のボールの位置に目印として置く位置決めマーカーなど、競技中にズボンのポケットなどに入れて持ち運ぶ小物がある。
【０００３】
ティショットする際には、ゴルフティをティグラウンドに突き刺し、このゴルフティの上にゴルフボールを載置した状態で、ゴルフ球をゴルフクラブにより強打するが、この際、ゴルフティも同時に強打されて飛んでいってしまい紛失してしまうことがあった。
【０００４】
特表２００２−５３６０８７号公報には、ゴルフティの上面に軟らかく弾性を有する剛毛を環状に植生して、ゴルフティが飛んでいってしまうことを防止したゴルフティが開示されている。また、特開２００２−６５９１７号公報には、ゴルフティの中間にゴム条を介在させて、ゴルフティの頭部に加わる打撃による衝撃を吸収し、ゴルフティが飛んでいってしまうことを防止したゴルフティが開示されている。
【０００５】
しかしながら、特表２００２−５３６０８７号公報や特開２００２−６５９１７号公報に開示された発明では、ゴルフティ自体が強打されることがあると、遠くに飛んでいってしまい、その課題を十分に解消できていない。このため、複数本のゴルフティを用意する必要がある。
【０００６】
このように、競技者は、ゴルフティや位置決めマーカーなどの複数の小物をズボンのポケットなどに入れて持ち運んでいる。
【０００７】
【特許文献１】特表２００２−５３６０８７号公報
【特許文献２】特開２００２−６５９１７号公報
【発明の開示】
【発明が解決しようとする課題】
【０００８】
このため、競技者は、必要に応じてポケットから取り出して使用するが、目的とする小物を取り出すのに、一旦ポケットからほとんど全ての小物を取り出した上で、特定の小物を選択しているのが実情である。
【０００９】
この発明では、ズボンのポケットなどに入れて持ち運ぶ必要のある小物、特にゴルフティや位置決めマーカーを一体的に持ち運び可能とし、またそれぞれの取り出しを容易にすることを目的としている。
【課題を解決するための手段】
【００１０】
請求項１の発明では、ティ本体に連結されるひもに錘を連結し、錘を磁石により形成している。これにより、ゴルフ競技中に持ち運ぶ小物のゴルフティに、被吸着片、例えば位置決めマーカーなどを錘に吸着し、一体的に持ち運びを可能としている。
【００１１】
請求項２の発明では、ひもを伸縮可能な弾性ひもにより形成している。これにより、ティ本体が強打されても、錘が弾性ひもに連結されているので、錘に加わる衝撃力が緩和されて、ティアップした場所から近くにしか飛ばない。
【００１２】
請求項３の発明では、錘を円盤状に形成している。これにより、錘の表面または裏面に板状の小物を吸着することができる。
【００１３】
請求項４の発明では、錘にティ本体の先端を差し込み可能な差込孔を設けている。これにより、ティ本体の脚部にひもを巻き付けた上で、ティ本体の先端を錘の差込孔内に差し込むことによって、コンパクトに収容でき、競技者のポケット内に容易に収納して持ち運びが可能になる。
【００１４】
請求項５の発明では、錘に板状の位置決めマーカーを吸着可能にしている。これにより、位置決めマーカーをゴルフティと一体的に持ち運びが可能になる。
【００１５】
請求項６の発明では、ティ本体の中間部において、上部ティ本体と下部ティ本体の二つの部分により構成され、上部ティ本体の下部には、雄ねじ部の先端にピン部が設けられて短いゴルフティとされ、また、下部ティ本体の上部には雄ねじ部に螺合する雌ねじ部が形成されていて、上部ティ本体に螺合して長いゴルフティとすることができる。これにより、ゴルフティを二種類の高さに調節することができる。
【発明の効果】
【００１６】
請求項１の発明では、ティ本体に連結されるひもに錘を連結し、錘を磁石により形成している。これにより、ゴルフ競技中に持ち運ぶ小物のゴルフティに、位置決めマーカーなどの小物を錘に吸着して一体的に持ち運びができるので、これらの小物の紛失が防止され、また、ポケットから容易に取り出すことができる。
【００１７】
請求項２の発明では、ひもを伸縮可能な弾性ひもにより形成している。これにより、ティ本体が強打されても、ティアップした場所から近くにしか飛ばなくなり、ゴルフティの紛失を防止でき、多数のゴルフティを持ち運ぶ必要がなくなる。
【００１８】
請求項３の発明では、錘を円盤状に形成しているため、錘の表面または裏面に板状の被吸着物を一体的に持ち運ぶことが可能になる。
【００１９】
請求項４の発明では、錘にティ本体の先端を差し込み可能な差込孔を設けているため、コンパクトに持ち運ぶことができる。
【００２０】
請求項５の発明では、錘に板状の位置決めマーカーを吸着可能にしている。これにより、位置決めマーカーをゴルフティと一体的に持ち運びが可能になる。
【００２１】
請求項６の発明では、上部ティ本体と下部ティ本体により構成して、短いゴルフティと長いゴルフティの二種類の高さに調節することができるために、一本のゴルフティで、ロングホールとショートホールに対応できる。
【発明を実施するための最良の形態】
【００２２】
ズボンのポケットなどに入れて持ち運ぶ必要のある小物を一体的に持ち運び可能とする目的を、ティ本体に連結されるひもに磁石により形成した錘を連結することによって実現した。
【実施例１】
【００２３】
以下、この発明の一実施例について、図面を参照して詳細に説明する。
図１において、１はティ本体であって、先端がやや尖った脚部１０と、上部に頭部１１が形成されている。また、脚部１０の中間には、ひも取付孔１２が形成されている。頭部１１の頂部には、図３に示すようにねじ孔１３が形成されていて、これに螺合する雄ねじのキャップねじ部１４を設けたキャップ１５が取付けられている。このキャップ１５の上面には、環状に複数の柔軟突片１６が立設されて、ゴルフボールを載置可能とされている（図２参照）。
【００２４】
このように、この実施例では、柔軟突片１６上にゴルフボールを載置することにしているので、ゴルフボールが強打されても、その衝撃力が柔軟突片１６により緩和される。また、複数回使用されて柔軟突片１６が傷みを生じても、ティ本体１にキャップ１５が交換可能に取付けられているためにキャップ１５のみを交換することができる。
【００２５】
なお、ティ本体１は、一体成形物としてもよいが、この実施例では、図４および図５に示しているように、中間部において、上部ティ本体１ａと下部ティ本体１ｂの二つの部分により構成されている。この上部ティ本体１ａの下部には、雄ねじ部１７の先端にピン部１８が設けられていて、下部ティ本体１ｂを取り外した状態の短いティ本体にすることが可能とされている。また、下部ティ本体１ｂの上部には雄ねじ部１７に螺合する雌ねじ部が形成されていて、上部ティ本体１ａに螺合することによって長いティ本体１とすることができる。これは、ロングホールとショートホールではティアップする高さが相違することに対応して、ティ本体１の高さを二種類に可変とする構成にされている。これにより、競技者は、一本のゴルフティで、ロングホールもショートホールにも対応可能とされている。
【００２６】
ひも取付孔１２には、非伸縮性の非伸縮性ひも２が通して連結されている。このひも２は、凧糸などの強度と柔軟性のあるものが望ましく、この実施例では、図１に示すようにリング状に連結されて約１５〜３０ｃｍの長さに調整されている。非伸縮性ひも２の他端には弾性ひも３が連結されている。この弾性ひも３は、ゴム糸が用いられており、３〜６ｃｍの長さとしている。そして、弾性ひも３は、錘４に連結されている。
【００２７】
錘４は図６に示すように、直径約２０ｍｍ、厚さ３ｍｍの円盤状の磁石であって、その重量は約５〜１０グラム程度とされている。ここで、この実施例１では、錘４の中央に直径５ｍｍの差込孔４ａによりリング形状とされているが、必ずしも、差込孔４ａを形成する必要はない。この差込孔４ａを形成した実施例においては、上面に外周から差込孔４ａに至るひも通し溝４ｂが設けられている。そして、弾性ひも３を差込孔４ａを利用して連結する際に、弾性ひも３がひも通し溝４ｂ内に収容されて、錘４の表面に突出することなく連結される（図７参照）。
【００２８】
このようにして、ティ本体１は、非伸縮性ひも２、弾性ひも３を介して錘４に連結される。この錘４の表面に、被吸着片５が取り外し可能に吸着されている。被吸着片５としては、ゴルフ競技中に競技者が持ち運ぶ小物であって、この実施例１では、位置決めマーカーの例を示している。位置決めマーカー５は、グリーン上で、先にパットする競技者の邪魔にならないように、ボールを拾い上げ、その位置に目印として置くものである。
【００２９】
この実施例では、錘４とほぼ外径を同じとした薄板のスチール製とされ、図７に示すように、中央に錘４の差込孔４ａと同径の中心孔５ａが形成されて、錘４の上面に密着吸着される。また、位置決めマーカー５の表面には、競技者の名前などの種々の表示を施すことができる。この実施例では、競技者のハンディキャップ１５であることを表す、「ＨＣ１５」が表示されている（図１参照）。
【００３０】
この実施例のティ本体１をティアップするに際しては、位置決めマーカー５を錘４から外した上で、従来から知られているゴルフティと同様にティグラウンドに突き刺し、錘４を非伸縮性ひも２及び弾性ひも３が弛んだ状態にティグラウンド上に置くだけでよい。そしてティ本体１の頭部１ｂ上にゴルフボールを載置して、プレーできる。
【００３１】
この実施例１に示すゴルフティを、実際にティアップして試験を行ったところ、ティアップした場所から約５０ｃｍの範囲内しか飛ばなかった。これにより、スイング後にゴルフティ１を容易に回収できて、紛失の怖れが無くなるために、複数本の予備ティを持ち運ぶ必要が無くなる。
【００３２】
また、持ち運びする際には、図８に示すように、ティ本体１の脚部１ａの外周に非伸縮性ひも２および弾性ひも３を巻き付け、最後に弾性ひも３の弾性を利用して、位置決めマーカー５を吸着した状態で、錘４の差込孔４ａに脚部１ａの先端を差し込むことによって収納状態とすることができる。これにより、競技者のズボンのポケットなどにゴルフティ１と一緒にコンパクトに収容できて、紛失することが防止される。
【００３３】
そして、グリーン上で位置決めマーカー５を使用するに際しては、脚部１ａから錘４を抜いた状態で、錘４から位置決めマーカー５を外して使用することができる。このように、この実施例では、一本のゴルフティで、ロングホールもショートホールにも対応可能であり、また、ゴルフティと位置決めマーカー５を一緒にしてポケット内に収容できるために、ポケットから容易に取出すことができる。
【００３４】
図９は、他の実施例の錘４０を示し、磁石からなる錘本体４１はその中央に直径５ｍｍの差込孔４１ａによりリング形状とされている。この錘本体４１の外周は、縁帯４２により囲んでいる。この縁帯４２には、リング状の取付部４３が設けられている。取付部４３にティ本体１に連結されているひもの他端が連結される。前述した実施例ではひも通し溝４ｂを設けているが、この実施例では、このひも通し溝４ｂを設ける必要が無く、また、縁帯４２により装飾性に富んだ錘とすることができる。
【図面の簡単な説明】
【００３５】
【図１】ゴルフティの全体図
【図２】キャップの斜視図
【図３】頭部の断面図
【図４】ティ本体の断面図
【図５】下部ティ本体を取外した状態の一部のティ本体の正面図
【図６】錘の斜視図
【図７】錘の拡大断面図
【図８】収納状態を示す正面図
【図９】他の実施例の錘の断面図
【符号の説明】
【００３６】
１…ティ本体
２…非伸縮性ひも
３…弾性ひも
４…錘
４ａ…差込孔
５…位置決めマーカー
【図１】
2005087388.tif 000003
【図２】
2005087388.tif 000004
【図３】
2005087388.tif 000005
【図４】
2005087388.tif 000006
【図５】
2005087388.tif 000007
【図６】
2005087388.tif 000008
【図７】
2005087388.tif 000009
【図８】
2005087388.tif 000010
【図９】
2005087388.tif 000011